(57)【要約】【課題】第２清掃部材を使用すると同時に第１清掃部材を使用することが可能であると共に、第２清掃部材だけの使用が可能な窓用清掃具を得る。【解決手段】窓ガラス面を清掃するための窓用清掃具１であって、基端部２０と先端部３０を有し、前記先端部３０に第１清掃部材３が取り付けられた本体４と、前記第１清掃部材３が取り付けられた位置よりも前記基端部２０側に位置するように前記本体４に着脱可能に取り付けられた第２清掃部材５とを備え、前記第２清掃部材５は、前記本体４に取り付けられるフレーム部６に取り付けられており、前記フレーム部６は、前記基端部２０側の部分６ａが前記先端部３０側の部分６ｂよりも前記本体４に対して離間するように形状付けられている。【選択図】図１
2010253083.tif 000002
【特許請求の範囲】
【請求項１】
窓ガラス面を清掃するための窓用清掃具であって、
基端部と先端部を有し、前記先端部に第１清掃部材が取り付けられた本体と、
前記第１清掃部材が取り付けられた位置よりも前記基端部側に位置するように前記本体に着脱可能に取り付けられた第２清掃部材とを備え、
前記第２清掃部材は、前記本体に取り付けられるフレーム部に取り付けられており、
前記フレーム部は、前記基端部側の部分が前記先端部側の部分よりも前記本体に対して離間するように形状付けられていることを特徴とする窓用清掃具。
【請求項２】
前記第１清掃部材は、前記窓ガラス面を払拭する払拭部材であることを特徴とする請求項１記載の窓用清掃具。
【請求項３】
前記フレーム部は、前記フレーム部を前記本体に取り付けるための取付部を有していることを特徴とする請求項１叉は２記載の窓用清掃具。
【請求項４】
前記取付部は、前記フレーム部の前記先端部側の部分に設けられていることを特徴とする請求項３記載の窓用清掃具。
【請求項５】
前記取付部は、表面に螺子が形成された軸状取付部であり、前記本体には前記軸状取付部が螺合される螺子穴が形成されており、前記本体の前記螺子穴に対する前記軸状取付部の螺合量を調整することにより、前記本体に対する前記第２清掃部材の位置を調整することができることを特徴とする請求項３叉は４記載の窓用清掃具。
【請求項６】
前記フレーム部は、一段以上の段状に形状付けられていることを特徴とする請求項１乃至５のうちのいずれか一つに記載の窓用清掃具。
【請求項７】
前記第２清掃部材は、前記窓ガラスを濡らすことが可能な吸水性部材であることを特徴とする請求項１乃至６のうちのいずれか一つに記載の窓用清掃具。
【請求項８】
前記吸水性部材は、繊維部材であることを特徴とする請求項７記載の窓用清掃具。
【請求項９】
前記繊維部材は、複数の繊維糸で形成されており、その長さが均一であることを特徴とする請求項８に記載の窓用清掃具。
【発明の詳細な説明】
【技術分野】
【０００１】
本発明は、ビル等の建築物に備えられた窓ガラスの外表面などを清掃するのに適用可能な窓用清掃具に関するものである。
【背景技術】
【０００２】
従来において、種々の窓用清掃具（スクイジー）が知られている。従来のスクイジーには、軸状をした柄部分の先端部に、ガラス表面を払拭するワイパーゴムと、ガラス表面に洗浄液で濡らす吸水性部材とが一体に取り付けられたものが知られている（例えば、非特許文献１及び非特許文献２参照。）。
【先行技術文献】
【非特許文献】
【０００３】
【非特許文献１】http://www.ettore.com/pro/prod_squeegees.html
【非特許文献２】http://marvin.shop-pro.jp/?mode=f2
【発明の概要】
【発明が解決しようとする課題】
【０００４】
しかしながら、従来のワイパーゴムと吸水性部材とが一体になったスクイジーは、以下のような問題がある。例えば、上記非特許文献１に開示されたスクイジーは、洗浄液が浸された吸水性部材でガラス表面を濡らすと同時に、ワイパーゴムでガラス表面を払拭して使用する構成になっている。すなわち、吸水性部材とワイパーゴムとを同時に使用しなければならない構成になっている。従って、ガラス表面の汚れが激しいために吸水性部材だけを使用してガラス表面に洗浄液を濡らしたい場合には、ワイパーゴムがガラス表面に接触しやすいために吸水性部材だけを使用することができないという問題がある。
【０００５】
また、上記非特許文献２に開示されたスクイジーは、吸水性部材が首振り可能に柄部分の先端部に取り付けられた構成になっており、吸水性部材は、ワイパーゴムの下部に重ねて配置される状態と、ワイパーゴムから離間して配置される状態との間で移動可能になっている。そして、吸水性部材でガラス表面に洗浄液を濡らす場合には、吸水性部材をワイパーゴムの下部に重ねて配置された状態で使用し、他方、ワイパーゴムでガラス表面を払拭する場合には、吸水性部材をワイパーゴムから離間して配置された状態で使用するようになっている。すなわち、上記非特許文献２に開示されたスクイジーは、吸水性部材だけを使用してガラス表面に洗浄液を濡らすことは可能であるが、洗浄液が浸された吸水性部材でガラス表面を濡らすと同時に、ワイパーゴムでガラス表面を払拭して使用することはできないという問題がある。
【０００６】
本発明は、上述のような従来技術の問題点に鑑みてなされたものであり、第２清掃部材を使用する（例えば、第２清掃部材が吸水性部材である場合には吸水性部材でガラス表面を濡らす）と同時に第１清掃部材を使用（例えば、第１清掃部材が払拭部材である場合には払拭部材でガラス表面を払拭して使用）することが可能であると共に、第２清掃部材だけの使用が可能な（例えば、第２清掃部材が吸水性部材である場合には吸水性部材だけを使用してガラス表面の汚れが激しい場合などにガラス表面に洗浄液を濡らすことが可能な）窓用清掃具を提供することを目的とする。
【課題を解決するための手段】
【０００７】
本発明は、窓ガラス面を清掃するための窓用清掃具であって、基端部と先端部を有し、前記先端部に第１清掃部材が取り付けられた本体と、前記第１清掃部材が取り付けられた位置よりも前記基端部側に位置するように前記本体に着脱可能に取り付けられた第２清掃部材とを備え、前記第２清掃部材は、前記本体に取り付けられるフレーム部に取り付けられており、前記フレーム部は、前記基端部側の部分が前記先端部側の部分よりも前記本体に対して離間するように形状付けられていることを特徴とする窓用清掃具を提供する。
【０００８】
また、前記第１清掃部材は、前記窓ガラス面を払拭する払拭部材にすることができる。また、前記フレーム部は、前記フレーム部を前記本体に取り付けるための取付部を有することができ、前記取付部は、前記フレーム部の前記先端部側の部分に設けるのが好ましい。また、前記取付部は、表面に螺子が形成された軸状取付部であり、前記本体には前記軸状取付部が螺合される螺子穴が形成されており、前記本体の前記螺子穴に対する前記軸状取付部の螺合量を調整することにより、前記本体に対する前記第２清掃部材の位置を調整することができる。また、前記フレーム部は、一段以上の段状に形状付けられることができる。
【０００９】
また、前記第２清掃部材は、前記窓ガラスを濡らすことが可能な吸水性部材にすることができる。また、前記吸水性部材は、繊維部材にすることができる。また、前記繊維部材は、複数の繊維糸で形成されており、その長さが均一にすることができる。
【発明の効果】
【００１０】
本発明によれば、第２清掃部材を使用する（例えば、第２清掃部材が吸水性部材である場合には吸水性部材でガラス表面を濡らす）と同時に第１清掃部材を使用（例えば、第１清掃部材が払拭部材である場合には払拭部材でガラス表面を払拭して使用）することが可能であると共に、第２清掃部材だけの使用が可能な（例えば、第２清掃部材が吸水性部材である場合には吸水性部材だけを使用してガラス表面の汚れが激しい場合などにガラス表面に洗浄液を濡らすことが可能な）窓用清掃具を提供することができる。
【図面の簡単な説明】
【００１１】
【図１】図１は、本発明にかかる窓用清掃具の実施の形態を示す概略側面図である。
【図２】図２は、本発明にかかる窓用清掃具の別の実施の形態を示す概略側面図である。
【図３】図３は、本発明にかかる窓用清掃具に適用可能な第２清掃部材としての吸水性部材の一例を示す概略側面図である。
【発明を実施するための形態】
【００１２】
以下、本発明にかかる窓ガラス面を清掃するための窓用清掃具を実施するための最良の形態について図面を参照しながら述べる。図１には、本発明にかかる窓ガラス面１００を清掃するための窓用清掃具（スクイジー）１を示している。スクイジー１は、基端部２０にハンドル部分２を有し、先端部３０に第１清掃部材としての窓ガラス面１００を払拭する払拭部材（例えばワイパーゴムなど）３が取り付けられた本体４と、この払拭部材３が取り付けられた位置よりも基端部２０側に位置するように本体４に着脱可能に取り付けられた、第２清掃部材としての窓ガラス面１００を濡らすことが可能な吸水性部材５とを備えている。
【００１３】
払拭部材３は、本体４の長さ方向に対して垂直な方向（図１の紙面にして直交する方向）に延びており、適宜な手段によって本体４の先端部３０に取り付けられている。
【００１４】
次に、本発明の特徴部分である吸水性部材５について詳細に説明する。図１及び図３に示すように、吸水性部材５は、本体４に取り付けられるフレーム部６に取り付けられており、フレーム部６の表面に設けられた吸水性部分７を有している。フレーム部６は、払拭部材３と同様に、本体４の長さ方向に対して垂直な方向（図１の紙面にして直交する方向）に延びており、払拭部材３と同じ長さにすることができる。
【００１５】
フレーム部６は、フレーム部６を本体４に取り付けるための取付部８を有しており、図示の取付部８は、フレーム部６の先端部３０側の部分６ａに設けられている。また、図示の取付部８は、表面に螺子が形成された軸状取付部であり、本体４には、軸状取付部８が螺合される螺子穴（図示せず）が形成されており、本体４の螺子穴に対する軸状取付部８の螺合量を調整することにより、本体４に対する吸水性部材５の位置を所望の位置に調整することができるようになっている。換言すれば、この調整により、払拭部材３に対する吸水性部材５の位置を調整することができる。
【００１６】
払拭部材３で窓ガラス面１００を払拭すると同時に吸水性部材５で窓ガラス面１００を濡らす場合（図２参照）にはフレーム部６に設けられた吸水性部分７がその先端部３０側の部分７ａを中心にして窓ガラス面１００に接触し、一方、払拭部材３を使用せずに吸水性部材５だけを使用して窓ガラス面１００を濡らす場合（図１参照）にはフレーム部６に設けられた吸水性部分７がその基端部２０側の部分７ｂを中心にして窓ガラス面１００に接触することができるように、フレーム部６は、基端部２０側の部分６ｂが先端部３０側の部分６ａよりも本体４に対して離間するように形状付けられている。フレーム部６は、一段以上の段状に形状付けられることができ、図示のフレーム部６は、一段状に形状付けられている。また、フレーム部６は、段状に限らず、基端部２０側の部分６ｂを先端部３０側の部分６ａよりも本体４に対して離間するように形状付けることができればどのような形状（例えば、直線状やＳ字状など）であってもよい。
【００１７】
吸水性部分７は、水や洗浄液などを浸すことができるものであり、例えば、繊維部材にすることができる。図示の吸水性部分７は、複数の繊維糸で形成されたいわゆるモップ状の繊維部材で構成されている。しかしながら、吸水性部分７は、これに限らず、水や洗浄液などを浸すことができる吸水性のものであればどのようなものであってもよく、例えば、布やスポンジなどにすることができる。
【００１８】
次に、上記スクイジー１の使用方法について説明する。払拭部材３で窓ガラス面１００を払拭すると同時に吸水性部材５で窓ガラス面１００を濡らす場合（図２参照）には、まず、吸水性部材５の吸水性部分７に水や洗浄液などを浸し、その後、ハンドル部分２を把持して、払拭部材３を窓ガラス面１００に接触させると共に、吸水性部材５の吸水性部分７をその７ａを中心にして窓ガラス面１００に押し付け、この状態で矢印１０で示す方向にスクイジー１を窓ガラス面１００に沿って動かす。この動作により、水や洗浄液などが浸された吸水性部材５の吸水性部分７によって窓ガラス面１００が濡らされ、この濡らされた窓ガラス面１００の領域を払拭部材３で払拭することにより、窓ガラス面１００を清掃することができる。すなわち、一つの動作で、窓ガラス面１００を水や洗浄液などが浸された吸水性部分７によって濡らすことができ、同時に、その濡らされた窓ガラス面１００を払拭部材３で払拭することができる。
【００１９】
一方、窓ガラス面１００の汚れが激しい場合などには、まず、吸水性部材５だけを使用して窓ガラス面１００を濡らし、その後、上述のように払拭部材３と吸水性部材５の両方を用いて窓ガラス面１００を清掃するのが良い。このように、払拭部材３を使用せずに吸水性部材５だけを使用して予め窓ガラス面１００を濡らす場合（図１参照）には、まず、上述と同様に吸水性部材５の吸水性部分７に水や洗浄液などを浸し、その後、ハンドル部分２を把持して、払拭部材３を窓ガラス面１００から離間させた状態で、吸水性部材５の吸水性部分７をその７ｂを中心にして窓ガラス面１００に押し付ける。この形態は、フレーム部６の基端部２０側の部分６ｂが先端部３０側の部分６ａよりも本体４に対して離間するように形状付けられているために容易にすることができる。そして、この状態（形態）でスクイジー１を窓ガラス面１００に沿って動かす。この動作により、払拭部材３が干渉することなく、水や洗浄液などが浸された吸水性部材５の吸水性部分７によって窓ガラス面１００が濡らすことができる。
【００２０】
なお、上述の実施態様では、第１清掃部材が払拭部材であり、第２清掃部材が吸水性部材である場合を示しているが、これに限定されない。例えば、第１清掃部材を吸水性部材にし、第２清掃部材を払拭部材にすることができるし、第１清掃部材及び／叉は第２清掃部材を、払拭部材や吸水性部材とは別の清掃部材にすることができる。
【符号の説明】
【００２１】
１    窓用清掃具（スクイジー）
２    ハンドル部分
３    第１清掃部材としての払拭部材
４    本体
５    第２清掃部材としての吸水性部材
６    フレーム部
６ａ  部分
６ｂ  部分
７    吸水性部分
７ａ  部分
７ｂ  部分
８    取付部（軸状取付部）
２０    基端部
３０    先端部
１００    窓ガラス面
【図１】
2010253083.tif 000003
【図２】
2010253083.tif 000004
【図３】
2010253083.tif 000005